(57)【要約】【課題】コンピュータ装置の無線ネットワーク用のフィルムアンテナを取り付け指向性等の向上を図る。【解決手段】無線ネットワーク用アンテナ装置を備えたコンピュータ装置１のコンピュータ本体３にヒンジ機構により開閉自在に備えられた表示部７のカバー９の中心付近にケーブル１５のケーブル孔１３を設ける。このケーブル孔１３からケーブル１５が出し入れ自由になっている。このケーブル１５の一端にはフィルムアンテナ１１が接続されている。そして、このフィルムアンテナ１１をカバー９上に移動させて適正な指向性の位置と向きを決定し固定する。使用後は、また、カバー９の中心付近にフィルムアンテナ１１を収納する。【選択図】　　　図１
2004088360.tif 000002
【特許請求の範囲】
【請求項１】
無線ネットワーク用アンテナ装置をコンピュータ装置で使用する無線ネットワーク用アンテナ装置使用方法において、
前記無線ネットワーク用アンテナ装置と、前記コンピュータ装置に備えられた接続部とを所定長さのケーブルにより接続し、
前記無線ネットワーク用アンテナ装置を、適正な指向性を得ために前記コンピュータ装置の外部の任意の位置に移動し取り付けることを特徴とする無線ネットワーク用アンテナ装置使用方法。
【請求項２】
前記所定長さのケーブルに接続される前記無線ネットワーク用アンテナ装置はアンテナのみであることを特徴とする請求項１記載の無線ネットワーク用アンテナ装置使用方法。
【請求項３】
前記アンテナはフィルムアンテナであることを特徴とする請求項２記載の無線ネットワーク用アンテナ装置使用方法。
【請求項４】
前記フィルムアンテナは表示部のカバーに取り付けることを特徴とする請求項３記載の無線ネットワーク用アンテナ装置使用方法。
【請求項５】
無線で通信を行うためコンピュータ装置に備えられる無線ネットワーク用アンテナ装置において、
前記無線ネットワーク用アンテナ装置は、前記コンピュータ装置に備えられた接続部に所定長さのケーブルにより接続されることにより、適正な指向性を得ために前記コンピュータ装置の外部の任意の位置に移動可能なことを特徴とする無線ネットワーク用アンテナ装置。
【請求項６】
前記無線ネットワーク用アンテナ装置はアンテナのみであることを特徴とする請求項５記載の無線ネットワーク用アンテナ装置。
【請求項７】
前記アンテナはフィルムアンテナであることを特徴とする請求項６記載の無線ネットワーク用アンテナ装置。
【請求項８】
前記フィルムアンテナは表示部のカバーに取り付けることを特徴とする請求項７記載の無線ネットワーク用アンテナ装置。
【請求項９】
無線で通信を行うための無線ネットワーク用アンテナ装置を備えたコンピュータ装置において、
前記コンピュータ装置に備えられた接続部に、前記無線ネットワーク用アンテナ装置が所定長さのケーブルにより接続され、
前記無線ネットワーク用アンテナ装置は、適正な指向性を得ために前記コンピュータ装置の外部の任意の位置に移動可能なことを特徴とする無線ネットワーク用アンテナ装置を備えたコンピュータ装置。
【請求項１０】
前記無線ネットワーク用アンテナ装置はアンテナのみであることを特徴とする請求項９記載の無線ネットワーク用アンテナ装置を備えたコンピュータ装置。
【請求項１１】
前記アンテナはフィルムアンテナであることを特徴とする請求項１０記載の無線ネットワーク用アンテナ装置を備えたコンピュータ装置。
【請求項１２】
前記フィルムアンテナは表示部のカバーに取り付けることを特徴とする請求項１１記載の無線ネットワーク用アンテナ装置を備えたコンピュータ装置。
【発明の詳細な説明】
【０００１】
【発明の属する技術分野】
本発明は無線ネットワーク用アンテナ装置使用方法及び無線ネットワーク用アンテナ装置並びに無線ネットワーク用アンテナ装置を備えたコンピュータ装置に関し、さらに詳細には、指向性を確保するためアンテナ装置のみをコンピュータ装置の外部に移動自在にした無線ネットワーク用アンテナ装置使用方法及び無線ネットワーク用アンテナ装置並びに無線ネットワーク用アンテナ装置を備えたコンピュータ装置に関する。
【０００２】
【従来の技術】
現在、一般に、ケーブルを使用せず無線で通信するネットワーク（ＬＡＮ等）が流行している。これはケーブルに接続することなしにインターネットやネットワーク（ＬＡＮ等）にアクセスすることができるため、屋内屋外を問わず非常に便利である。今ではホットスポットと呼ばれる無線ＬＡＮが使用出来る場所（レストランや空港等）が増加しており、今後とも普及することが予想される。
【０００３】
従来のアンテナとして、誘導体アンテナや金属板で作られた逆Ｆアンテナ、基板アンテナ等が使用されてきた。これらのアンテナの特徴は、小型化、無指向化、高利得化が挙げられる。これらのアンテナはノートパソコン本体キーボード下部や両サイド、ヒンジ付近かもしくはＬＣＤのサイド及び上部に取り付けられており、その位置は常に固定されていた。また、アンテナを２つ搭載するダイバーシチ方式が一般的である。
【０００４】
図４（ａ）を参照する。例えば、アンテナの設置位置としてはノートパソコン５１のヒンジ部付近や本体５３のキーボード下部、ＬＣＤ５５の周囲等がある。
【０００５】
図４（ｂ）は図４（ａ）において、本体５３の位置ＣＩＲの内部を示す。すなわち、本体５３の内部にアンテナ５７、５８が所定の位置に備えられている。いずれもアンテナ５７、５８はネジや接着テープ等で固定されており、一度搭載したら動かないように固定されている。
【０００６】
【発明が解決しようとする課題】
従来の誘導体アンテナ、基板アンテナ、逆Ｆアンテナ等はどれもノートパソコン内部にネジや両面テープで固定されており、その位置を動かすことは不可能であった。そのため、電波の受信方向（指向性）が常に一定、ノートパソコンを使用する場所によっては、電波の受信感度が低くなることがあり、そのような場合はノートパソコン自身の向きを回転させたり、場所を変えたりする必要があった。
【０００７】
アンテナについても、他の部品の設置位置や電波的な影響等があり、アンテナの設計が非常に困難で、その設置位置も考慮する必要があった。また搭載するＰＣによって、その内部構造が異なるためにアンテナ形状、材質等が変化し、汎用性がうすいものであった。
【０００８】
また無線ＬＡＮ用のＰＣＩカードも販売されており、アンテナをコンピュータ装置自体に内蔵しないものもある。このケースだと、カードにアンテナが付いており、そのアンテナの角度や向きは自由に変えることができるため、指向性は良い。ただし、コンピュータ装置からカードが出ているため、コンピュータ装置を使用する際に邪魔になる。また、カードを使用するとコンピュータ装置に付いているスロットを１つ占有する。そして、無線ＬＡＮを行う際、別途ＰＣＩカードを購入する必要がある等の問題があった。
【０００９】
【課題を解決するための手段】
本発明は、前述のごとき問題に鑑みてなされたもので、請求項１に係る発明は、無線ネットワーク用アンテナ装置をコンピュータ装置で使用する無線ネットワーク用アンテナ装置使用方法において、前記無線ネットワーク用アンテナ装置と、前記コンピュータ装置に備えられた接続部とを所定長さのケーブルにより接続し、
前記無線ネットワーク用アンテナ装置を、適正な指向性を得ために前記コンピュータ装置の外部の任意の位置に移動し取り付ける無線ネットワーク用アンテナ装置使用方法である。
【００１０】
これにより、アンテナ装置をコンピュータ装置外部に取り付けることにより、アンテナ装置を自由に動かすことが可能になり、コンピュータ装置自身を動かすこと無しにアンテナ装置の指向性を変えることが可能となる。またアンテナ装置をコンピュータ装置外部に取り付けることでコンピュータ装置筐体から受ける影響をなくすことが出来、放射強度が向上する。また、アンテナ装置を内部に搭載しないため、アンテナ設計自由度が高く、汎用的であり、低コストで提供することが出来る。
【００１１】
請求項２に係る発明は、前記所定長さのケーブルに接続される前記無線ネットワーク用アンテナ装置はアンテナのみである上記無線ネットワーク用アンテナ装置使用方法である。これにより、アンテナ装置がコンパクトになり扱い易くなる。
【００１２】
請求項３に係る発明は、前記アンテナはフィルムアンテナである無線ネットワーク用アンテナ装置使用方法である。フィルムアンテナは非常に薄いため指向性の良い所への固定が容易になる。
【００１３】
請求項４に係る発明は前記フィルムアンテナは表示部のカバーに取り付ける上記無線ネットワーク用アンテナ装置使用方法である。これにより、固定が容易になり、また、広いスペースを確保でき指向性の良い位置を探すのが容易になる。
【００１４】
請求項５に係る発明は、無線で通信を行うためコンピュータ装置に備えられる無線ネットワーク用アンテナ装置において、前記無線ネットワーク用アンテナ装置は、前記コンピュータ装置に備えられた接続部に所定長さのケーブルにより接続されることにより、適正な指向性を得ために前記コンピュータ装置の外部の任意の位置に移動可能な無線ネットワーク用アンテナ装置である。
【００１５】
請求項６に係る発明は、前記無線ネットワーク用アンテナ装置はアンテナのみである上記無線ネットワーク用アンテナ装置である。
【００１６】
請求項７に係る発明は、前記アンテナはフィルムアンテナである上記無線ネットワーク用アンテナ装置である。
【００１７】
請求項８に係る発明は、前記フィルムアンテナは表示部のカバーに取り付ける上記無線ネットワーク用アンテナ装置である。
【００１８】
請求項９に係る発明は、無線で通信を行うための無線ネットワーク用アンテナ装置を備えたコンピュータ装置において、前記コンピュータ装置に備えられた接続部に、前記無線ネットワーク用アンテナ装置が所定長さのケーブルにより接続され、前記無線ネットワーク用アンテナ装置は、適正な指向性を得ために前記コンピュータ装置の外部の任意の位置に移動可能な無線ネットワークアンテナ装置を備えたコンピュータ装置である。
【００１９】
請求項１０に係る発明は、前記無線ネットワーク用アンテナ装置はアンテナのみである上記無線ネットワーク用アンテナ装置を備えたコンピュータ装置である。
【００２０】
請求項１１に係る発明は、前記アンテナはフィルムアンテナである上記無線ネットワーク用アンテナ装置を備えたコンピュータ装置である。
【００２１】
請求項１２に係る発明は、前記フィルムアンテナは表示部のカバーに取り付ける上記無線ネットワーク用アンテナ装置を備えたコンピュータ装置である。
【００２２】
【発明の実施の形態】
本発明の実施の形態を、図面を参照して説明する。
【００２３】
図１を参照する。図１（ａ）は無線ネットワーク用アンテナ装置を備えたコンピュータ装置１である。本例での前記無線ネットワーク用アンテナ装置を備えたコンピュータ装置１はコンピュータ本体３を備え、このコンピュータ本体３にはヒンジにより開閉自在に表示部７が備えられている。また、前記コンピュータ本体３にはキーボード５等が備えられている。すなわち、ノートパソコンを想定しているがラップトップ型のパソコン、ディスクトップ型のパソコンでもよい。
【００２４】
一方、無線ネットワーク用アンテナ装置１１でいう無線ネットワークとは、例えば無線ＬＡＮ、無線のＷＡＮ等を含む。そして、前記無線ネットワーク用アンテナ装置は、逆Ｆアンテナ、基板アンテナ、フィルムアンテナ等を含むが、本例ではフィルムアンテナを想定して説明する。
【００２５】
図１（ｂ）を参照する。図１（ａ）において前記表示部７の背面側のＬＣＤのカバー９（以下、単にカバーという）を矢印ＡＲ１から見たときの図である。例えば、表示部９の背面側のカバー９の中心付近にケーブル孔１３を開け、そのケーブル孔１３からアンテナに取り付くケーブル（例えば、給電用同軸ケーブル、同軸ケーブル。以下同じ）１５を内部にはわし、図示していない接続部（例えば、内蔵ＭｉｎｉＰＣＩカード）に接続しておく。フィルムアンテナ１１を外部に取り出しても感電等の電気的な危険はないものの、見た目がよくないため、そこは、例えばパソコンのロゴで隠しておく。使用しない場合はフィルムアンテナ１１をカバー９上の中心付近に設置しておく。
【００２６】
図１（ｃ）は、前記フィルムアンテナ１１を取り出し使用する場合を示す。この場合に前記フィルムアンテナ１１を引っ張り、ケーブル１５をケーブル孔１３から引き出すことで、安定で高速な通信を行う（これは携帯電話のアンテナと同じような使用方法で、使用するときにアンテナを動かし使用しないときは、アンテナを納めておく方法とと同じ形態である）。ここで、所定の長さのケーブル１５はカバー９の任意の位置に前記フィルムアンテナ１１を移動させるに十分の長さを有している。これにより、広い範囲内で指向性の良い箇所を探すことができる。また、フィルムアンテナ１１を固定し易い効果がある。
【００２７】
図２を参照し無線ネットワーク用アンテナ装置であるフィルムアンテナ１１を備えたコンピュータ装置１の動作等を説明する。
【００２８】
図２（ａ）を参照する。前記表示部７のカバー９にはフィルムアンテナ１１に接続されたケーブル１５を出し入れするためのケーブル孔１３が設けられている。このケーブル孔１３の位置はカバー９の中心付近であることが望ましい。前記カバー９の表面では、フィルムアンテナ１１の設置個所として使用するに中心の位置が適正であるからである。すなわち、中心位置から引き出されるケーブル１５の長さを最小にしてカバー９の領域内にフィルムアンテナ１１を移動させ設置することができ機能性に優れるからである。
【００２９】
前記ケーブル１５は一端で前記フィルムアンテナ１１に接続されている。また、他端においては、前記ケーブル孔１３を通り表示部７の内部ＥＲに配線されている。そして、この内部ＥＲには前記ケーブル１５を巻き取るためのドラム１７と、このドラム１７を回転駆動させるためのバネ式の駆動部１９が備えられている。前記ケーブル１５は所定の長さを引き出された後は、前記駆動部１９に設けられた図示しないストパー部により固定される。これにより、駆動部１９により巻き戻されるのを防ぐことができる。なお、巻き戻すときはケーブル１５一旦引くことによりストッパー部から外れ巻き戻される。これにより、フィルムアンテナ１１を収納するとき、前記ケーブル１５は前記ドラム１７に自動で巻き取られるので容易に収納できる。
【００３０】
そして、前記ケーブル１５は、接続部（例えば、ＭｉｎｉＰＣＩカード）２１に接続されている。これにより、フィルムアンテナ１１のみを外部に出すことができ指向性の調整のため移動をさせることができる。
【００３１】
例えば、ネットワークの送受信部２５とフィルムアンテナ１１との指向性を合わせるに前記フィルムアンテナ１１を収納時の中心付近２３から引き出して矢印ＡＲ２方向、矢印ＡＲ３方向、及び矢印ＡＲ４方向に移動、回転させて指向性の適正な位置に固定する。
【００３２】
なお、上述においては、カバー９上を移動させ指向性の良い位置を探したが、フィルムアンテナ１１を固定する位置はカバー９上に限定されるものでない。例えば、コンピュータ装置１から離れた所に取り付けてもよい。
【００３３】
前記フィルムアンテナ１１の断面Ａ−Ａ’を図２（ｂ）を参照して説明する。このフィルムアンテナ１１は、誘電体フィルム２７上に導電性ペースト２９をスクリーン印刷し、さらにその上から誘電体フィルム３１を貼った構造をしており、３層構造となっている。このフィルムアンテナ１１の特徴として、非常に薄い（一般に薄いと言われている基板アンテナの１／５以下）ことが挙げられる。この特徴を生かして、フィルムアンテナ１１をコンピュータ装置１の内部に搭載せずに、コンピュータ装置１の外部に取り付けることが可能となる。また、前記誘電体フィルム３１には接着層（例えば、マジックテープ（登録商標））３３が備えられている。これにより、前記フィルムアンテナ１１は指向性の良いカバー９内の箇所に固定させることができる。
【００３４】
図３は無線ネットワーク用アンテナ装置（本例ではフィルムアンテナ１１）の使用の態様を示す。図３（ａ）を参照する。フィルムアンテナ１１を表示部７のカバー９に直に設置させると表示部７の傾き方で指向性が大きく変わってしまうので、アンテナをダイバーシチ方式にし、もう一方のアンテナ３５をコンピュータ本体３の内部のヒンジ部分（これは従来のアンテナでよい）に設置する。これにより、表示部７の傾きが変わっても、指向性は確保できる。
【００３５】
図３（ｂ）を参照する。前記フィルムアンテナ１１が接続されるケーブル１５の一端をオス型のコネクタ３７にして、カバー９の中心付近にメス型のコネクタ３９を設ける。使用のときには接続させる。そして、使用後はフィルムアンテナ１１を取り外して保管しておく。これにより、コンピュータ装置１にフィルムアンテナ１１を収納しなくてもよく省スペース化になる。
【００３６】
なお、本発明は、上述した実施の態様の例に限定されることなく、適宜の変更を加えることにより、その他の態様で実施できるものである。
【００３７】
【発明の効果】
上述の如く本発明によれば、例えば、アンテナの指向性を自由に変えることが出来、受信がしやすくなるという効果がある。
【００３８】
また、アンテナをコンピュータ装置の外部に取り付けることで、アンテナが外部（表示部のカバー、その他部品等）から受ける影響を低減し、設計の自由度が上がるという効果がある。
【００３９】
そして、コンピュータ装置の外部に取り付けるため、様々なコンピュータ装置に対応出来、汎用性が高いため全体としてコストを下げることができるという効果がある。
【００４０】
さらに、フィルムアンテナを使用することにより、移動、固定等の操作性が向上するという効果がある。
【図面の簡単な説明】
【図１】（ａ）、（ｂ）、（ｃ）は無線ネットワーク用アンテナ装置を備えたコンピュータ装置の外観図である。
【図２】（ａ）、（ｂ）は無線ネットワーク用アンテナ装置を備えたコンピュータ装置の概略を説明する説明図である。
【図３】（ａ）、（ｂ）は無線ネットワーク用アンテナ装置の使用の態様を説明する説明図である。
【図４】従来の技術を説明する説明図である。
【符号の説明】
１　無線ネットワーク用アンテナ装置を備えたコンピュータ装置
３　コンピュータ本体
５　キーボード
７　表示部
９　カバー
１１　フィルムアンテナ
１３　ケーブル孔
１５　ケーブル
【図１】
2004088360.tif 000003
【図２】
2004088360.tif 000004
【図３】
2004088360.tif 000005
【図４】
2004088360.tif 000006